(57)【要約】      （修正有）【課題】接合されるハウジング間の間隔が広い筐体や、さらに「面開き」に対する高い追従性の要求にも応じられる積層ガスケットを提供する。【解決手段】積層ガスケットは、上段ガスケット3と中段ガスケット4と下段ガスケット5からなり、上段ガスケット3及び下段ガスケット5を構成するガスケットは、対向する１組の位置決め孔が周囲に形成されており、中段ガスケット4を構成するガスケットは、対向する２組の位置決め孔が周囲に形成されており、上段ガスケット3の対向する１組の位置決め孔と、下段ガスケット5の対向する１組の位置決め孔とは、位相が異なっており、中段ガスケット4の一方の組の位置決め孔は上段ガスケット3の位置決め孔に対応し、他方の組の位置決め孔は下段ガスケット5の位置決め孔に対応し、対応する位置決め孔それぞれにピン8、9、10を通して、中段ガスケットと、上段ガスケット及び下段ガスケットとを固定してなる。【選択図】図３
2018062988.tif 000002
【特許請求の範囲】
【請求項１】
密封対象空間の開口形状に対応する開口部を有するガスケットを複数積層してなる積層ガスケットであり、
前記積層ガスケットは、上段ガスケットと、中段ガスケットと、下段ガスケットからなり、
上段ガスケットを構成するガスケットは、対向する１組の位置決め孔が周囲に形成されており、中段ガスケットを構成するガスケットは、対向する２組の位置決め孔が周囲に形成されており、下段ガスケットを構成するガスケットは、対向する１組の位置決め孔が周囲に形成されており、
前記上段ガスケットの対向する１組の位置決め孔と、前記下段ガスケットの対向する１組の位置決め孔とは、位相が異なっており、
前記中段ガスケットの一方の組の前記位置決め孔は、前記上段ガスケットの前記位置決め孔に対応し、他方の組の前記位置決め孔は、前記下段ガスケットの前記位置決め孔に対応し、
対応する前記位置決め孔それぞれにピンを通して、該中段ガスケットと、上段ガスケット及び下段ガスケットとを固定してなることを特徴とする積層ガスケット。
【請求項２】
前記上段ガスケット、前記中段ガスケット及び前記下段ガスケットは、方形状の外方に突設する突片部を備え、
前記突片部に、前記位置決め孔が設けられていることを特徴とする請求項１記載の積層ガスケット。
【請求項３】
前記ピンは、前記位置決め孔の内径よりも小径の直筒状に形成され、
前記ピンの一端側及び他端側は、位置決め孔の内径よりも大径となされた係止部を有していることを特徴とする請求項１又は２記載の積層ガスケット。
【請求項４】
前記ガスケットは、ハーフビードであることを特徴とする請求項１、２又は３記載の積層ガスケット
【請求項５】
前記ガスケットの片面又は両面に、ゴムコーティングされていることを特徴とする請求項１〜４の何れかに記載の積層ガスケット。
【発明の詳細な説明】
【技術分野】
【０００１】
本発明は、積層ガスケットに関し、詳しくは、接合されるハウジング間の間隔が広い筐体や、さらに「面開き」に対する高い追従性の要求にも応じられる積層ガスケットに関する。
【背景技術】
【０００２】
ガスケットは、内燃機関のシリンダブロック及びシリンダヘッドの接合部、あるいは排気マニホールド及び排気管の接合部等、種々の接合部をシールするために、互いに対向する接合面間に挟着されて使用されている。
【０００３】
ガスケットは、通常は単層で使用される。しかし、シリンダブロック及びシリンダヘッドの接合部のように、接合面間の間隔が広くなる「面開き」に対する高い追従性が要求される場合には、ガスケットは積層して使用されることもあり、２層又は３層で使用され、各ガスケットはカシメにて組み付けられるのが一般的である。
カシメを使用する以外では、ガスケット自体を加工し、カーリングにより、各ガスケットを組み付ける手法が、特許文献１に提案されている。
【０００４】
一方、ガスケットを積層させる手法としては、図１２に示す手法が知られている。即ち、一方のガスケット１０１及び他方のガスケット１０２は、カシメピン１０４により、センタープレート１０３に取付けられて位置決めされる。
【０００５】
このガスケット１０１にはハーフビード１０１ａが形成され、ガスケット１０２にはハーフビード１０２ａが形成され、このハーフビード１０１ａとハーフビード１０２ａを圧縮し局所的に面圧を発生させてシール機能を発現する。
【先行技術文献】
【特許文献】
【０００６】
【特許文献１】特開２００８−０３１９７８号公報
【発明の概要】
【発明が解決しようとする課題】
【０００７】
近年、接合されるハウジング間の間隔が広い筐体や、「面開き」に対する高い追従性が要求される。
【０００８】
しかしながら、カシメピンやカーリングによりガスケットをセンタープレートに固定させる従来手法では、上記のハーフビード付きの２枚のガスケットを、センタープレートを含めて３層構成とすると、センタープレート自体を固定しなければならず、その結果、センタープレートとガスケットとを固定しなければならない。そのため、センタープレートを介していては、積層構成ができないため、「面開き」に対する高い追従性の要求に応えることができない。
【０００９】
そこで、本発明は、接合されるハウジング間の間隔が広い筐体や、さらに「面開き」に対する高い追従性の要求にも応じられる積層ガスケットを提供することを課題とする。
【００１０】
本発明の他の課題は、以下の記載により明らかとなる。
【課題を解決するための手段】
【００１１】
上記課題は以下の各発明によって解決される。
（請求項１）
密封対象空間の開口形状に対応する開口部を有するガスケットを複数積層してなる積層ガスケットであり、
前記積層ガスケットは、上段ガスケットと、中段ガスケットと、下段ガスケットからなり、
上段ガスケットを構成するガスケットは、対向する１組の位置決め孔が周囲に形成されており、中段ガスケットを構成するガスケットは、対向する２組の位置決め孔が周囲に形成されており、下段ガスケットを構成するガスケットは、対向する１組の位置決め孔が周囲に形成されており、
前記上段ガスケットの対向する１組の位置決め孔と、前記下段ガスケットの対向する１組の位置決め孔とは、位相が異なっており、
前記中段ガスケットの一方の組の前記位置決め孔は、前記上段ガスケットの前記位置決め孔に対応し、他方の組の前記位置決め孔は、及び前記下段ガスケットの前記位置決め孔に対応し、
対応する前記位置決め孔それぞれにピンを通して、該中段ガスケットと、上段ガスケット及び下段ガスケットとを固定してなることを特徴とする積層ガスケット。
（請求項２）
前記上段ガスケット、前記中段ガスケット及び前記下段ガスケットは、方形状の外方に突設する突片部を備え、
前記突片部に、前記位置決め孔が設けられていることを特徴とする請求項１記載の積層ガスケット。
（請求項３）
前記ピンは、前記位置決め孔の内径よりも小径の直筒状に形成され、
前記ピンの一端側及び他端側は、位置決め孔の内径よりも大径となされた係止部を有していることを特徴とする請求項１又は２記載の積層ガスケット。
（請求項４）
前記ガスケットは、ハーフビードであることを特徴とする請求項１、２又は３記載の積層ガスケット
（請求項５）
前記ガスケットの片面又は両面に、ゴムコーティングされていることを特徴とする請求項１〜４記載の何れかに記載の積層ガスケット。
【発明の効果】
【００１２】
本発明によれば、接合されるハウジング間の間隔が広い筐体や、さらに「面開き」に対する高い追従性の要求にも応じられる積層ガスケットを提供することができる。
【図面の簡単な説明】
【００１３】
【図１】本発明の実施形態の積層ガスケットの一例を示す側面図
【図２】（ii）−（ii）線の拡大断面図
【図３】積層ガスケットの分解斜視図
【図４】（ａ）本発明の実施形態の積層ガスケットを構成する上段ガスケットの一例を示す平面図、（ｂ）（iv）−（iv）線の拡大断面図
【図５】（ａ）本発明の実施形態の積層ガスケットを構成する上段ガスケットの他の一例を示す平面図、（ｂ）（v）−（v）線の拡大断面図
【図６】（ａ）本発明の実施形態の積層ガスケットを構成する中段ガスケットの一例を示す平面図、（ｂ）（vi）−（vi）線の拡大断面図
【図７】（ａ）本発明の実施形態の積層ガスケットを構成する中段ガスケットの他の一例を示す平面図、（ｂ）（vii）−（vii）線の拡大断面図
【図８】（ａ）本発明の実施形態の積層ガスケットを構成する下段ガスケットの一例を示す平面図、（ｂ）（viii）−（viii）線の拡大断面図
【図９】（ａ）本発明の実施形態の積層ガスケットを構成する下段ガスケットの他の一例を示す平面図、（ｂ）（ix）−（ix）線の拡大断面図
【図１０】（ａ）本発明の実施形態の積層ガスケットを構成する位置決めピンの一例を示す平面図、（ｂ）本発明の実施形態の積層ガスケットを構成する位置決めピンの一例を示す側面図
【図１１】図２の積層ガスケットの使用状態の一例を示す要部断面図
【図１２】従来のガスケットの要部を示す要部断面図
【発明を実施するための形態】
【００１４】
以下、本発明の実施形態について図面を用いて説明する。
【００１５】
図１は、本発明の実施形態の積層ガスケットの一例を示す側面図であり、図２は、（ii）−（ii）線の拡大断面図であり、図３は、図１の積層ガスケットの分解斜視図である。
【００１６】
積層ガスケット１は、例えば、密封対象である内燃機関のシリンダブロック及びシリンダヘッドの空間である接合部、あるいは排気マニホールド及び排気管の接合部等、種々の接合部２をシールする。これら接合部２の接合対象２０の接合面２１と、接合対象２２の接合面２３の間に、複数のガスケット３、４、５を、位置決めピン（以下、単にピンともいう。）８、９、１０、１１を介して積層している。なお、接合対象２０と２２は図示しないボルトで固定される。
【００１７】
ガスケット３、ガスケット４及びガスケット５は、各々複数枚で構成されている。この実施形態では、ガスケット３は、６枚のガスケットが積層された構成である。ガスケット４は４枚のガスケットが積層された構成である。ガスケット５は、６枚のガスケットが積層された構成である。
【００１８】
ガスケット３、４及び５を構成する各ガスケットは、メタルガスケットであって、ステンレス、冷延鋼板、亜鉛めっき鋼板及びアルミニウム合板等から選択される弾性を有する金属薄板で形成されることが好ましい。ガスケット３、４、５には、ゴムコーティングを施してもよい。
【００１９】
ガスケット３、ガスケット４及びガスケット５は、各々複数枚で構成されているので、複数枚をセットで説明する場合は、説明の便宜上、上段ガスケット３、中段ガスケット４、下段ガスケット５と称することがある。またガスケット３，４，５を構成する個々のガスケットに関しては、個別に説明する場合には、説明の便宜上、６枚のガスケット３に関しては、ガスケット３０、３１、３２、３３、３４、３５と各々区別する。また４枚のガスケット４に関しては、４０、４１、４２、４３と各々区別する。さらに６枚のガスケット５に関しては、５０、５１、５２、５３、５４、５５と各々区別する。
図４〜図９に基づいて、各ガスケットの構造の一例を説明する。
【００２０】
図４及び図５は、上段ガスケット３に用いられるガスケットの一例を示す図であり、図４に示す例は、ガスケット３０、３２、３４であり、図５に示す例は、ガスケット３１、３３、３５である。
【００２１】
図４（ａ）に示すように、ガスケット３０は、方形状の外方に突設する２箇所（上辺と下辺）の突片部３００に、位置決め孔３０１、３０２が開設されている。ガスケット３０には、図４（ｂ）に示すように、開口部７側に上方に向けて拡開するハーフビード３０３が形成されている。なお、ガスケット３２及び３４にも、上述したガスケット３０に有する突片部３００、位置決め孔３０１，３０２及びハーフビード３０３が形成されている。
【００２２】
次に、図５（ａ）に示すように、ガスケット３１は、方形状の外方に突設する２箇所（上辺と下辺）の突片部３１０に、位置決め孔３１１、３１２が開設されている。ガスケット３１には、図５（ｂ）に示すように、開口部７側に下方に向けて拡開するハーフビード３１３が形成されている。なお、ガスケット３３及び３５にも、上述したガスケット３１に有する突片部３１０、位置決め孔３１１、３１２及びハーフビード３１３が形成されている。
【００２３】
図６及び図７は、中段ガスケット４に用いられるガスケットの一例を示す図であり、図６に示す例は、ガスケット４０、４２であり、図７に示す例は、ガスケット４１、４３である。
【００２４】
図６（ａ）に示すように、ガスケット４０は、方形状の外方に突設する４箇所（上辺と下辺及び左辺と右辺）の突片部４００に、位置決め孔４０１、４０２、４０３、４０４が開設されている。ガスケット４０には、図６（ｂ）に示すように、開口部７側に上方に向けて拡開するハーフビード４０５が形成されている。なお、ガスケット４２にも、上述したガスケット４０に有する突片部４００、位置決め孔４０１、４０２、４０３、４０４及びハーフビード４０５が形成されている。
【００２５】
次に、図７（ａ）に示すように、ガスケット４１は、方形状の外方に突設する４箇所（上辺と下辺及び左辺と右辺）の突片部４１０に、位置決め孔４１１、４１２、４１３、４１４が開設されている。ガスケット４１には、図７（ｂ）に示すように、開口部７側に下方に向けて拡開するハーフビード４１５が形成されている。なお、ガスケット４３にも、上述したガスケット４１に有する突片部４１０、位置決め孔４１１、４１２、４１３、４１４及びハーフビード４１５が形成されている。
【００２６】
図８及び図９は、下段ガスケット５に用いられるガスケットの一例を示す図であり、図８に示す例は、ガスケット５０、５２、５４であり、図９に示す例は、ガスケット５１、５３、５５である。
【００２７】
図８（ａ）に示すように、ガスケット５０は、方形状の外方に突設する２箇所（左辺と右辺）の突片部５００に、位置決め孔５０１、５０２が開設されている。ガスケット５０には、図８（ｂ）に示すように、開口部７側に上方に向けて拡開するハーフビード５０３が形成されている。なお、ガスケット５２及び５４にも、上述したガスケット５０に有する突片部５００、位置決め孔５０１、５０２及びハーフビード５０３が形成されている。
【００２８】
次に、図９（ａ）に示すように、ガスケット５１は、方形状の外方に突設する２箇所（左辺と右辺）の突片部５１０に、位置決め孔５１１、５１２が開設されている。ガスケット５１には、図９（ｂ）に示すように、開口部７側に下方に向けて拡開するハーフビード５１３が形成されている。なお、ガスケット５３及び５５にも、上述したガスケット５１に有する突片部５１０、位置決め孔５１１、５１２及びハーフビード５１３が形成されている。
【００２９】
次に、上記ガスケットを用いて、積層ガスケットを構成する例を図１〜図１０に基づいて説明する。
【００３０】
＜積層ガスケット全体の構成＞
本実施形態の積層ガスケット１は、図１に示すように、６枚のガスケットからなる上段ガスケット３と、４枚のガスケットからなる中段ガスケット４と、６枚のガスケットからなる下段ガスケット５によって構成される。
【００３１】
＜上段ガスケット３の構成＞
図３に示すように、６枚のガスケットを用いる。図４と図５に示す各ガスケットを積層して上段ガスケット３を構成する。
【００３２】
図４に示すガスケット３０、３２、３４と図５に示すガスケット３１、３３、３５の違いは、ハーフビードが開口部７側に上方に向けて拡開しているか、下方に向けて拡開しているかである。
【００３３】
６枚のガスケットは、上方から下方に向かって、ガスケット３０、３１、３２、３３、３４、３５を順に配置する。位置決め孔は、図３に示すように、方形状ガスケットの対向する２辺に設けられており、各々の位置決め孔は上下方向で一致するように配置される。一つのピンを差し込んで固定するためである。
【００３４】
図３の手前側の位置決め孔は、上方から順に、位置決め孔３０１、３１１、３０１、３１１、３０１、３１１が配置され、図３の奥側の位置決め孔は、上方から順に、位置決め孔３０２、３１２、３０２、３１２、３０２、３１２が配置される。
各々の位置決め孔３０１・・・３１１に、ピン９を通す。また各々の位置決め孔３０２・・・３１２に、ピン１１を通す。
【００３５】
＜ピンの固定＞
図１０（ａ）は、本発明の実施形態の積層ガスケットを構成するピンの構成を示す平面図、（ｂ）は側面図である。
【００３６】
位置決めピン８、９、１０、１１は、図１０に示すように、たとえば、位置決め孔の内径よりも小径の直筒状に形成され、一端側及び他端側に、位置決め孔の内径よりも大径となされた係止部１２、１３を有している。
【００３７】
本発明において、位置決めピン８、９、１０、１１の固定手段は格別限定されない。ピンと係止部が、ネジ止めされたり、カシメ止めされたりしてもよい。
また、係止部１２、１３は、位置決めピン８、９、１０、１１と一体形成されても良いし、例えば係止部１２だけを一体形成し、係止部１３を別体として、各ガスケットの位置決め孔に通した後に位置決めピン形成してもよい。
【００３８】
＜中段ガスケット４＞
中段ガスケット４は、上段ガスケット３の下方に設置されるガスケットであり、図３に示すように、４枚のガスケットを用いる。図６と図７に示す各ガスケットを積層して中段ガスケット４を構成する。
【００３９】
図６に示すガスケッ４０、４２と図７に示すガスケット４１、４３を用い、４枚のガスケットは、上方から下方に向かって、ガスケット４０、４１、４２、４３を順に配置する。
【００４０】
図６に示すガスケッ４０、４２は、ハーフビードが開口部７側に上方に向けて拡開している。図７に示すガスケット４１、４３は、ハーフビードが開口部７側に下方に向けて拡開している。
【００４１】
中段ガスケット４を構成する各々のガスケットには、図３、図６に示すように、位置決め孔４０１、４０２、４０３、４０４が、方形状のガスケットの対向する４辺に設けられている。また、図３、図７に示すように、位置決め孔４１１、４１２、４１３、４１４が、方形状のガスケットの対向する４辺に設けられている。
【００４２】
各々の位置決め孔は上下方向で一致するように配置される。一つのピンを差し込んで固定するためである。
【００４３】
ガスケット４の各々の位置決め孔４０４、４１４、４０４、４１４に、ピン８を通す。また各々の位置決め孔４０３、４１３、４０３、４１３に、ピン１０を通す。またガスケット３の各々の位置決め孔３０１・・・３１１から通されたピン９を、ガスケット４の各々の位置決め孔４０１、４１１、４０１、４１１にも通す。またガスケット３の各々の位置決め孔３０２・・・３１２から通されたピン１１を、ガスケット４の各々の位置決め孔４０２、４１２、４０２、４１２にも通す。
【００４４】
次に、ピン８、９、１０、１１のうち、上段ガスケット３及び中段ガスケット４を固定するピン９、１１を固定する。従って、固定用のピン９と１１は、上段ガスケット３と中段ガスケット４の固定に共通して使用されるピンである。これにより、上段ガスケット３及び中段ガスケット４を固定することができる。
固定用のピン８、１０は、中段ガスケット４及び後述する下段ガスケット５の固定に共通して使用されるピンである。
【００４５】
＜下段ガスケット５＞
下段ガスケット５は、中段ガスケット４の下方に設置されるガスケットであり、図３に示すように、６枚のガスケットを用いる。図８と図９に示す各ガスケットを積層して下段ガスケット５を構成する。
【００４６】
図８に示すガスケッ５０、５２、５４と図９に示すガスケット５１、５３、５５を用い、６枚のガスケットは、上方から下方に向かって、ガスケット５０、５１、５２、５３、５４、５５を順に配置する。
【００４７】
図８に示すガスケッ５０、５２、５４は、ハーフビードが開口部７側に上方に向けて拡開している。図９に示すガスケット５１、５３、５５は、ハーフビードが開口部７側に下方に向けて拡開している。
【００４８】
下段ガスケット５を構成する各々のガスケットには、図３、図８、図９に示すように、位置決め孔５０１、５１１、５０１、５１１、５０１、５１１及び位置決め孔５０２、５１２、５０２、５１２、５０２、５１２が、方形状ガスケットの対向する２辺に設けられている。
各々の位置決め孔は上下方向で一致するように配置される。一つのピンを差し込んで固定するためである。
【００４９】
中段ガスケット４の各々の位置決め孔４０４・・・４１４に通されたピン８を、各々の位置決め孔５０２・・・５１２にも通す。また各々の位置決め孔４０３・・・４１３に通されたピン１０を、各々の位置決め孔５０１・・・５１１にも通す。
【００５０】
次に、中段ガスケット４及び下段ガスケット５を固定するピン８、１０を固定する。従って、固定用のピン８と１０は、中段ガスケット４と下段ガスケット５の固定に使用されるピンである。これにより、中段ガスケット４及び下段ガスケット５を固定することができる。
【００５１】
この結果、上段ガスケット３及び中段ガスケット４をピン９、１１で固定し、中段ガスケット４及び下段ガスケット５をピン８、１０で固定することによって、上段ガスケット３、中段ガスケット４及び下段ガスケット５を固定することができる。
【００５２】
上記のようにして、上段ガスケット３、中段ガスケット４及び下段ガスケット５が積層構成されると、図２のような構成となる。
【００５３】
本実施の形態において、上段ガスケット３、中段ガスケット４及び下段ガスケット５を積層可能にしているのは、位置決め孔の存在である。
【００５４】
上段ガスケット３と下段ガスケット５は、いずれも、方形状のガスケット本体の外方の対向する２辺に各々位置決め孔が設けられている。積層の際には、位置決め孔の配置を、位相ずらして配置されていることが好ましい。後述する接合部が図示しないボルト等で締結される際に、位置決め孔の位相がずれていることにより、位置決め孔に通す異なるピン同士が締結の邪魔をせず、ガスケットを圧縮することができる。位相は、例えば、９０度位相をずらすことができる。
【００５５】
この上段ガスケット３と下段ガスケット５の二つのガスケットだけでは、積層ガスケットは形成できない。上段ガスケット３と下段ガスケット５が連結されていないからである。
【００５６】
本実施の形態において、中段ガスケット４が、上段ガスケット３と下段ガスケット５の連結機能を果たす。
【００５７】
中段ガスケット４には、方形状の枠体の外方の対向する４辺に各々位置決め孔が設けられている。即ち、４つの位置決め孔が設けられ、そのうち一方の２つの位置決め孔は、上段ガスケット３と位置を一致させる。また他方の２つの位置決め孔は、下段ガスケット５と位置を一致させる。
【００５８】
このように位置決めして、４つの位置決め孔にピン８、９、１０、１１を通すと、中段ガスケット４が、上段ガスケット３と下段ガスケット５の連結機能を果たす。
【００５９】
上記の実施形態では、中段ガスケット４に、４つの位置決め孔を設けているが、上段ガスケット３と下段ガスケット５の連結機能を果たせれば、これに限定されない。
【００６０】
＜積層ガスケット１の作用＞
次に、積層ガスケット１の作用について、図２のような構成となった積層ガスケットを接合対象２０、２２に対して使用した状態を図１１に基づいて説明する。
図１１は、図２の積層ガスケットの使用状態の一例を示す要部断面図である。
【００６１】
図１１に示すように、接合対象２０、２２を図示しないボルトで締めると、上段ガスケット３、中段ガスケット４及び下段ガスケット５が圧縮変形する。
【００６２】
そして、各ガスケット３、４、５が圧縮変形されると、中段ガスケット４及び下段ガスケット５は、位置決め孔を介して位置決めピン８に沿って、下方へ押されていき、上段ガスケット３も、同様に下方へ押されていく。この時上段ガスケット３は、位置決めピン８の位置に突片部３００がないため、位置決めピン８に圧縮を邪魔されることがない。
【００６３】
上段ガスケットと下段ガスケットとの位置決め孔を設ける位置を異ならせ、中段ガスケットに連結機能を果たさせることによって、上段ガスケットと下段ガスケットとを中段ガスケットを介して、ガスケット同士を積層させつつ、圧縮変形の邪魔をしないように構成することができ、これによって、接合されるハウジング間の間隔が広い筐体のシール性を可能にする。
【００６４】
さらに、接合部の間隔が広くなった場合でも、上段ガスケット３は面開きにあわせて復元することができ、また中段ガスケット４及び下段ガスケット５は、位置決めピン８に沿って、係止部１２まで復元できるため、各ガスケットの復元を可能にしている。このため、「面開き」に対する高い追従性の要求にも応じることができる。
【００６５】
本実施形態の積層ガスケット１は、上段ガスケット３、中段ガスケット４及び下段ガスケット５の３層構成で説明しているがこれに限定されない。また間隔の広い筐体にあわせて各ガスケットの積層数を適宜変更することもできる。
【符号の説明】
【００６６】
１：積層ガスケット
２：接合部
２０、２２：接合対象
２１、２３：接合面
３：ガスケット（上段ガスケット）
３０、３２、３４：ガスケット
３００：突片部
３０１、３０２：位置決め孔
３０３：ハーフビード
３１、３３、３５：ガスケット
３１０：突片部
３１１、３１２：位置決め孔
３１３：ハーフビード
４：ガスケット（中段ガスケット）
４０、４２：ガスケット
４００：突片部
４０１、４０２、４０３、４０４：位置決め孔
４０５：ハーフビード
４１、４３：ガスケット
４１０：突片部
４１１、４１２、４１３、４１４：位置決め孔
４１５：ハーフビード
５：ガスケット（下段ガスケット）
５０、５２、５４：ガスケット
５００：突片部
５０１、５０２：位置決め孔
５０３：ハーフビード
５１、５３、５５：ガスケット
５１０：突片部
５１１、５１２：位置決め孔
５１３：ハーフビード
７：開口部
８、９、１０、１１：位置決めピン（ピン）
１２、１３：係止部
１０１、１０２：ガスケット
１０１ａ、１０２ａ：ハーフビード
１０３：センタープレート
１０４：カシメピン
【図１】
2018062988.tif 000003
【図２】
2018062988.tif 000004
【図３】
2018062988.tif 000005
【図４】
2018062988.tif 000006
【図５】
2018062988.tif 000007
【図６】
2018062988.tif 000008
【図７】
2018062988.tif 000009
【図８】
2018062988.tif 000010
【図９】
2018062988.tif 000011
【図１０】
2018062988.tif 000012
【図１１】
2018062988.tif 000013
【図１２】
2018062988.tif 000014